(57)【特許請求の範囲】
【請求項１】
玄米を投入する投入ホッパ（２）と、玄米を精米処理する精米機（４）と、精白米の払出装置としての白米タンク（５）と、料金投入口（８ｂ）及び白度を選択する白度ボタン（８ａ）を備える操作部（８）と、各種装置の動作制御を行う制御部（Ｃ）とを備え、持参玄米を設定料金で精米可能な精米設備に、
玄米を収容した収容容器（Ｒ）を収納する収納扉（９ｂ）付の複数の収納室（９ａ）と、収納室（９ａ）の選択ボタン（９ｄ）を設けて、料金投入口（８ｂ）に設定料金を投入し、かつ収納室（９ａ）の選択ボタン（９ｄ）を操作すると収納扉（９ｂ）が開いて収納室（９ａ）内の収容容器（Ｒ）を取り出せる構成とし、
上記制御部（Ｃ）が、収容容器（Ｒ）が取り出されてから設定時間内に収容容器（Ｒ）内の玄米が上記投入ホッパ（２）に投入され、上記白度ボタン（８ａ）が操作されると、当該収容容器（Ｒ）に収容している玄米量に対応する時間、精米処理をする制御を行うことを特徴とする米販売機能付精米設備。
【請求項２】
前記精米設備を収容する建家を仕切（１ｃ）で客室（１ａ）と機械室（１ｂ）とに区分し、前記投入ホッパ（２）と操作部（８）と白米タンク（５）を客室（１ａ）に臨ませる構成とし、
複数の収納室（９ａ）を多段に配置すると共に移動車輪で移動可能な米自動販売装置（９）によって、客室（１ａ）と機械室（１ｂ）との一部を仕切ることを特徴とする請求項１記載の米販売機能付精米設備。
【発明の詳細な説明】
【技術分野】
【０００１】
本発明は、持参した玄米の精米を有料で精米処理する機能と、米販売機能を備えた精米設備に関するものである。
【背景技術】
【０００２】
特許文献１に示されるように、持参した玄米の精米をする自動精米システムに玄米収納部を付設した米販売機能付精米設備が知られている。この精米設備は、利用者が持込み玄米をホッパに投入することにより、自動精米システムが料金投入に応じて精米処理をし、また、購入スイッチを操作することにより、玄米収納部から自動精米システムに玄米を供給して精米処理することにより白米の精米処理販売提供を可能とするものである。
【特許文献１】特開２００４−１９５３５９号公報
【発明の開示】
【発明が解決しようとする課題】
【０００３】
しかしながら、上記精米設備は、玄米販売のために玄米収納部に計量手段を備え、また、収納玄米による白米の精米処理販売提供のために玄米収納部から自動精米部に玄米を移送する搬送手段を備えることから、システム構成の複雑化とそれに伴う製造コストの増加という問題が避けられなかった。
【０００４】
解決しようとする問題点は、装置構成の複雑化を招くことなく、最小限の機器構成により、持参した玄米の精米のほかに、玄米の販売提供および収納玄米による白米の精米処理販売提供を可能とする米販売機能付精米設備を提供することにある。
【課題を解決するための手段】
【０００５】
請求項１に係る発明は、玄米を投入する投入ホッパと、玄米を精米処理する精米機と、精白米の払出装置としての白米タンクと、料金投入口及び白度を選択する白度ボタンを備える操作部と、各種装置の動作制御を行う制御部とを備え、持参玄米を設定料金で精米可能な精米設備に、玄米を収容した収容容器を収納する収納扉付の複数の収納室と、収納室の選択ボタンを設けて、料金投入口に設定料金を投入し、かつ収納室の選択ボタンを操作すると収納扉が開いて収納室内の収容容器を取り出せる構成とし、上記制御部が、収容容器が取り出されてから設定時間内に収容容器内の玄米が上記投入ホッパに投入され、上記白度ボタンが操作されると、当該収容容器に収容している玄米量に対応する時間、精米処理をする制御を行うことを特徴とする。
【０００６】
上記精米設備は、制御装置により持参した玄米を精米装置が自動精米し、また、収納室内の玄米の販売時には、収納室の収納扉が解錠されて収容容器を介して玄米の取出しが可能となるので、取出した玄米を持ち帰り、または、精米装置で精米した新鮮な白米を購入することができる。
また、上記精米設備は、収容容器が取り出されてから設定時間内に収容容器内の玄米が上記投入ホッパに投入されるという操作に対応して、購入した玄米の精米処理をすることができる。
【０００７】
請求項２に係る発明は、請求項１の構成において、精米設備を収容する建家を仕切で客室と機械室とに区分し、前記投入ホッパと操作部と白米タンクを客室に臨ませる構成とし、複数の収納室を多段に配置すると共に移動車輪で移動可能な米自動販売装置によって、客室と機械室との一部を仕切ることを特徴とする。
【発明の効果】
【０００８】
請求項１の発明による米販売機能付精米設備は、設定料金を投入し、かつ収納庫の選択ボタンを操作すると収納庫が開いて収納庫内の収容容器を取り出せる構成とし、収容容器を取り出してから設定時間内に収容容器内の玄米を投入ホッパに投入し、白度ボタンを操作すると、収容容器に収容している玄米量に対応する時間、精米処理を行うことを可能となる。よって、購入操作によって収納扉が解錠されて米収納部から収納物を容器で取出しが可能となることから、持参した玄米の精米および玄米の販売提供と併せ、共用の精米装置により米収納部との間に計量器や搬送機器を要することなく、精米サービス付きの新鮮な白米の精米処理販売提供が可能となる。
【０００９】
請求項２の発明による米販売機能付精米設備は、米自動販売装置を移動することによりオペレータのメンテナンス用の通路とすることができる。
【発明を実施するための最良の形態】
【００１０】
上記技術思想に基づいて具体的に構成された実施の形態について以下に図面を参照しつつ説明する。
精米設備１は、その一構成例のシステム構成図を図１に示すように、投入された穀粒を受けて定量送出する投入口装置としてのホッパ２と、玄米中の石等の異物を除去選別する石抜機３と、玄米を精白する精米機４と、精白米の払出装置としての白米タンク５と、それぞれの間を連結移送する第１昇降機６ａ、第２昇降機６ｂ等の移送機構、および切換弁４ｂを介して再精白するためのチャージタンク４ｔ、糠を分離するサイクロン７と糠貯留袋Ｂ等によって構成される。
【００１１】
上記精米設備１の内部構成例は、機器配置図を図２に示すように、精米設備１を収容する建家を仕切１ｃによって客室１ａと機械室１ｂとに区分し、客室１ａには、料金投入部、白度選択ボタン等を備えた操作部８を設けるとともに投入ホッパ２と白米タンク５を客室１ａに臨んで玄米の投入および白米の取出しがそれぞれ可能に配置し、白米タンク５の側方をメンテナンス用の内部通路とし、この通路スペースを移動用車輪付きの米自動販売装置９によって閉鎖する。機械室１ｂには、投入ホッパ２から第１昇降機６ａを介して石抜機３、第２昇降機６ｂを介して精米機４、白米タンク５の順に連結配置し、さらに糠搬送ファン７ｆ、サイクロン７、糠貯留袋Ｂを配置する。
【００１２】
上記構成により、投入ホッパ２は、投入センサ２ａを備えて投入穀粒の有無を検出し、内設のロータリバルブ２ｂによって定量送出し、バケットコンベヤ等による第１昇降機６ａから受けた穀粒を振動風選によって選別して選別玄米を第２昇降機６ｂにより精米機４に送り、また、分離した石等の異物は機体下部に備えた貯留部３ｄに収容する。また、精米機４の排出側の切換弁４ｂにより精白米をチャージタンク４ｔに貯留し、定量送り用のロータリバルブ４ｃにより第２昇降機６ｂに精白米を送出する。
【００１３】
米自動販売装置９は、仕切１ｃの客室１ａ側見取図を図３に、また、制御ブロック図を図８に示すように、施錠可能な収納扉９ｂ…とパイロットランプ９ｃを備えたボックス型冷蔵庫による収納室９ａを多段に段積み構成し、購入操作によって収納室９ａ…の選択ボタン９ｄを押すと対応する収納扉９ｂのロック９ｅを解錠した上で操作部８の白度ボタンを点灯して精米動作可能とし、一定時間内に白度ボタン８ａを選択すると精米設備の各機器が設定時間駆動制御される。また、一定時間の経過によっても白度ボタン８ａが操作されないときにはリセットされる。
【００１４】
各収納室９ａ…は、購入によって空になると冷蔵機構を個別にオフにする。また、各収納室９ａ…には、収納物の有無を検出するセンサを設け、センサ信号が「無」→「有」に変化すると、それ以降に収納扉９ｂを閉めることによって自動施錠するとともに、収納物の販売が可能となるように構成する。収納物は、玄米の他に、白米、野菜等を含めることにより、幅広い自動販売が可能となる。
【００１５】
上記構成の米販売機能付精米設備は、制御装置により、投入された玄米を投入口装置２が送出し、それを受けて精米装置４が精米し、精米された白米を払出装置５に貯留する。また、米自動販売装置９の米の販売時には、料金投入口８ｂに料金を投入して所望の収納室９ａの選択ボタン９ｄを操作するとロック９ｅが解錠されて収納扉９ｂを開いて収納室内の袋入りの米Ｒを利用者が取出す。すると、白度ボタン８ａが点灯し、利用者が設定時間内（例えば１０分以内）に袋入りの玄米Ｒを投入ホッパ２に投入して白度ボタン８ａを押すと、精米設備の各機器が駆動を開始し、購入した玄米量に対応する時間（例えば１０ｋｇの場合３分）駆動して購入した玄米を精米処理する。したがって、上記米販売機能付精米設備により、持参した玄米の精米および玄米の販売提供と併せ、米収納部との間に計量器や搬送機器を要することなく、自動精米装置により精米サービス付きの新鮮な白米の自動販売提供が可能となる。
【００１６】
また、米販売機能付精米設備は、事前設定が可能な収納物精米情報に基づいて精米制御するように構成することにより、精米処理販売提供の際に精米投入物についての情報入力操作を要することなく、購入操作のみで適切な精米品質を確保することができる。さらに、同精米設備は、冷蔵式の収納室について購入操作による販売情報と対応して冷蔵動作を停止するように構成することにより、収納物の玄米または白米の品質維持を図りつつ、販売後は冷蔵動作の停止によって無駄な冷蔵動作を回避することができる。
【００１７】
次に、精米設備の別の構成例について説明する。以下において、前記同様の部材はその符号を付すことにより説明を省略する。
精米設備は、正面図を図４に示すように、客室入口１ｅを自動ドアとし、この入口１ｅを開くために客室１ａの入口付近にコイン投入口、カードリーダ等による入場料金投入部１ｆを設ける。この入場料金は預かり金として返却され、無料で入場できるように構成する。
このように、入場料金投入部１ｆを設けることにより、客室１ａの料金投入部８と別体系で入場料を簡単に設定でき、また、入場料金投入部１ｆで入場料を支払わないと客室入口１ｅのドアが開かないため、不必要な入場者をカットしていたずら防止や盗難防止の効果を得ることができる。
【００１８】
白米タンク５による払出装置は、払出口５ａの下方に白米袋を載せることができるベース５ｂを上下に可動式に設け、コイン枚数、投入口装置２のロータリバルブ等の搬送機の稼働時間、投入検出重量、精米機の運転時間等に連動して初期位置から次第に下降するように、簡単なリフターによって構成する。
上記ベース５ｂにより、基本的に３０ｋｇ対応の精米設備における少量精米の場合に、排出時に取出しにくくて零れる事態を避けることができる。
【００１９】
精米装置４の玄米タンク４ａは、機械室内部の要部側面図を図６（ａ）に示すように、窓４ｗから内部が見えるように照明Ｌを外部に設ける。その照明回路図を図６（ｂ）に示すように、精米が終了する間際に照明を点灯させ、また、精米終了後の一定時間継続して点灯させ、メンテナンス照明と兼用してオペレータが操作する機械室１ｂのメンテナンス押しボタンＭで点灯でき、利用客も客室１ａの押しボタンＷの操作で点灯できるように構成する。
このような照明を精米設備に構成することにより、必要な時に必要な時間だけ点灯することにより、従来の常時点灯を回避してランニングコストの削減、環境負荷の低減が可能となる。
【００２０】
無洗米処理の運転制御については、従来は、１回目の白度が２回目と等しく若しくは高く設定した場合に夏期に白米チャージタンク４ｔにおいて白米がブリッジする原因となっていたことから、白度が１回目を低圧力とし、２回目を高圧力とすることにより、穀温上昇が抑えられて上記問題を解決することができる。
【００２１】
また、別の運転制御については、白米チャージタンク４ｔの内部構成側面図を図７に示すように、１回目の精米が終了してロータリバルブ４ｃが起動しても、それより攪拌羽根４ｄの駆動を遅延させることにより、ブリッジを崩すとともにモータ負荷を解消することができる。
【図面の簡単な説明】
【００２２】
【図１】精米設備の一例を示すシステム構成図
【図２】精米設備の機器配置図
【図３】仕切の客室側見取図
【図４】精米設備の別の構成例の正面図
【図５】精米設備の別の構成例の正面図
【図６】機械室内部の要部側面図（ａ）および、その照明回路図（ｂ）
【図７】白米チャージタンクの内部構成側面図
【図８】精米設備の制御ブロック図
【符号の説明】
【００２３】
１  精米設備
１ａ  客室
２  投入ホッパ（投入口装置）
４  精米機（精米装置）
５  白米タンク（払出装置）
８  料金投入部（操作部）
８ｂ  料金投入口
９  米自動販売装置（収納部）
９ａ  収納室
９ｂ  収納扉
９ｈ  冷蔵手段
Ｃ  制御装置
Ｒ  米収容容器
【図１】
0004998152.tif 000002
【図２】
0004998152.tif 000003
【図３】
0004998152.tif 000004
【図４】
0004998152.tif 000005
【図５】
0004998152.tif 000006
【図６】
0004998152.tif 000007
【図７】
0004998152.tif 000008
【図８】
0004998152.tif 000009